(57)【要約】【課題】扉や窓枠等に設置された鍵や締め金具の施錠・解錠状態について、特にアナログ式の場合、外出後に確認する手段がない。鍵や締め金具の施錠・解錠状態を、既存設備を変更することなく、より多くの鍵や締め金具へ追加設置が可能、且つ、セキュリティを考慮し、施錠・解錠状態を外部ネットワークへ常時通知することなく、外部ネットワークから確認できる仕組みがあれば便利、且つ、安全に確認ができる。【解決手段】鍵や締め金具つまみ部を留め具で挟み込む形で固定し、その上にセンサを設置する。センサは距離センサを用いて施錠・解錠状態を検知し、センサと連携する装置においては通信機能を有し、一定間隔で屋内の内部ネットワークからインターネット等の外部ネットワーク上のサーバへ問い合わせを行い、外部ネットワーク上の利用者からサーバに対して状態確認指示があった場合のみ、施錠状態を確認し、その結果はサーバを介して利用者へ伝達する。【選択図】図１１
2020084423.tif 000002
【特許請求の範囲】
【請求項１】
扉や窓枠等に設置されている鍵の施錠・解錠を行うサムターンや締め金具等のつまみ部に対し、既存設備の変更が必要とならない様、留め具を挟み込む形状とし、その留め具上に設置された距離センサを用い、距離センサから障害物までの距離を測定することで鍵の施錠位置及び解錠位置を判断し、施錠・解錠状態を検知するシステム。
【請求項２】
施錠・解錠状態の検知は利用者からの指示により行い、利用者からの指示や施錠・解錠状態の検知結果を確認する際には、検知するセンサや処理装置への直接的な問い合わせや、外部ネットワークから内部ネットワークへ向けた問い合わせを必要としない処理フローを有する、施錠・解錠状態を検知するシステム。
【発明の詳細な説明】
【技術分野】
【０００１】
本発明は、つまみ部を有する鍵機能の状態をネットワーク経由で確認することを可能とするシステムに関するものである。
【背景技術】
【０００２】
鍵の状態を確認するシステムとして、サムターンの回転つまみ部にセンサを取り付ける監視システム（特許文献１）が開示されており、センサや子機を内蔵し、回転つまみに対応する形状を有する突出部を備えたケーシングと呼ばれるものを回転つまみに嵌合して回転つまみにねじ止めすることにより、既存の設備を変更することなく、設置することができる技術が開示されている。
【０００３】
サムターン回転つまみ部の状態を、特許文献1では、加速度センサをつまみ部側に設置することでつまみ部の傾斜角を判断、特許文献２においては、つまみ部ではない場所にセンサを設置し、センサから発する光がつまみ部に反射するか否かで判断する等の仕組みが開示されており、既存の設備を変更することなく、つまみ部の状態を検知することができる技術が開示されている。
【０００４】
サムターン回転つまみ部の状態を利用者が確認する方法としては、特許文献３においては、検知した状態を一定間隔で常時発信する技術が開示されている。
【先行技術文献】
【特許文献】
【０００５】
【特許文献１】特開２０１０−７２４６（段落番号００１３〜００２０）
【特許文献２】再表２０１７／０１４０６１（段落番号００１１）
【特許文献３】特開２００６−１２５２６３（段落番号０００４）
【発明の概要】
【発明が解決しようとする課題】
【０００６】
既存の設備を変更することなく、より多くの鍵や締め金具つまみ部へ適用させたいが、つまみ部の種類も様々あり、特許文献1にあるケーシングであると、回転つまみに嵌合する必要があること、センサや子機を内蔵できる大きさが必要であることから、取り付けられる場所やつまみ部形状等の制約が多くなる。
【０００７】
特許文献1では、回転タイプのサムターンには対応しているが、上下左右にスライドする鍵や締め金具へは対応できていない。
【０００８】
特許文献２においては、センサから発する光でつまみ部への反射有無を判断する、いわゆる光電センサにより、つまみ部の状態を検出しているが、施錠・解錠状態を反射有無で検出できるように、つまみ部との距離や角度等を考慮してセンサを設置する必要があることから、取り付けられる場所やつまみ部の形状等に制約が出てくる。
【０００９】
鍵や締め金具の施錠・解錠状態を扱うことから、施錠・解錠の傾向を分析される恐れのあるログや、リアルタイムの施錠・解錠状態が第三者へ漏えいすることは避けたい。たとえ、セキュリティ対策の行き届いたセンサ制御装置やサーバ等の機器で管理するとした場合であっても、セキュリティホール等による情報漏えいのリスクは存在することから、一定間隔もしくは常時、施錠・解錠状態を検出することや、その状態をセンサ制御装置やサーバ等の機器に蓄積していくことは、情報漏えい時の影響が大きくなる懸念がある。
【００１０】
鍵や締め金具の施錠・解錠状態を外部ネットワーク上から確認する際、外部ネットワーク上の機器から屋内の内部ネットワークに設置されている機器に対してのアクセスが必要な場合、外部ネットワークから屋内の内部ネットワークへのアクセス許可が必要となることがセキュリティ上の脅威の一つとなり、セキュリティリスクが高まる懸念がある。
【課題を解決するための手段】
【００１１】
鍵や締め金具のつまみ部を留め具にて挟み込む形で固定する。つまみ部を跨いだ箇所もしくは留め具両端で固定し、留め具が滑り止め効果を有しない場合には、つまみ部と留め具の間に滑り止め部材を挟み込むこととする。
【００１２】
施錠・解錠状態を検知する為に距離センサを用いる。つまみ部に設置されたセンサから障害物までの距離を測定、解錠・施錠状態を判断する距離の基準は設置場所の環境に合わせて調整できるものとする。
【００１３】
施錠・解錠状態の検知は、利用者から状態の確認指示をした場合にのみ実施することとする。
【００１４】
屋内の内部ネットワークに設置されている機器に対し、外部からの直接連携はせずに、屋内の内部ネットワークに設置されている機器から外部ネットワーク上の機器に対して、施錠・解錠状態の状態確認指示が有るか否を問い合わせ、指示が有った場合にのみ状態検知を実施して通知する方式とする。
【発明の効果】
【００１５】
留め具にて、つまみ部を挟み込む形で固定することで安定度が増し、滑り止め部材を挟み込むことで、更に留め具がつまみ部から抜けにくくなる。また、留め具と取っ手部を分離させることで、より多くのつまみ部に対応できる留め具を選択することが可能となり、且つ、取っ手部を可変にすることで、様々な嗜好にあわせた取っ手部の商品化等、市場の広がりが期待できる。
【００１６】
距離センサを用いることで、つまみ部が回転タイプだけではなく、スライドタイプ等にも対応することが可能となり、より多くの鍵や締め金具に対応することができる。また、センサで検知する情報は、状態の遷移情報ではなく、施錠・解錠状態のつまみ部に設置されたセンサから障害物までの距離情報の為、常時、センサ情報を保持しておく必要はなく、必要な時に測定した情報のみで状態を判定することができる。また、距離センサは、より多くの鍵や締め金具、環境に対応することが期待できる、検知対象の材質や色、ホコリ等の周辺環境の影響を受けにくい、超音波式とすることが望ましい。
【００１７】
利用者から状態確認指示があった時のみ状態を検知する仕組みとすることで、システム上には指示を受けて状態検知を実施した時点の情報のみが存在すればよく、センサ制御装置やサーバ等の機器に検知情報を蓄積する必要がなくなる。そのことにより、万が一、センサ制御装置やサーバ等の機器が不正に第三者に参照されたとしても、利用者が新たに状態確認指示をしない限りは状態が更新されないことから、現時点の施錠・解錠状態と比較して古い情報を参照されるにとどめることができ、更に、過去の施錠・解錠ログから不在時間帯を推測される等のリスクも回避することが出来る。
【００１８】
外部ネットワーク上の機器から屋内の内部ネットワークに設置されている機器に向けた問い合わせが不要となることで、外部ネットワーク上の機器から屋内の内部ネットワークに設置されている機器に向けてのアクセスは拒否できることから、内部ネットワークに設置されている機器に対し、外部ネットワーク上から直接攻撃されるリスクが低減出来る。
【図面の簡単な説明】
【００１９】
【図１】つまみ部を挟み込む説明図（ネジやターンバックル等）
【図２】つまみ部を挟み込む説明図（挟み込む素材や万力等）
【図３】留め具説明図（サムターン）
【図４】留め具説明図（窓金具）
【図５】取っ手説明図（側面図）
【図６】取っ手説明図（サムターン）
【図７】取っ手説明図（窓金具）
【図８】距離センサ測定方針説明図（サムターン）
【図９】距離センサ測定方針説明図（窓金具）
【図１０】距離センサ測定方針説明図（スライド式）
【図１１】つまみ部を有する鍵機能の状態を検知するシステムの全体構成図
【図１２】処理フロー図（センサ制御装置−サーバ間処理フロー図）
【図１３】処理フロー図（利用者−サーバ間処理フロー図）
【発明を実施するための形態】
【００２０】
以下、本発明を実施するための形態を図面に沿って説明する。
【００２１】
「図１」は、鍵や締め金具のつまみ部を留め具にて挟み込む状態を説明するものである。つまみ部（１）を留め具（２）にて挟み込む。留め具（２）は、鍵や締め金具のつまみ部（１）両端を跨いだ箇所から留め具（２）の両端までの任意の箇所をネジやターンバックル等（３）で締め付ける。留め具（２）自体に滑り止め効果がない場合、留め具（２）とつまみ部（１）に接する部分に滑り止め素材（４）を差し込む。つまみ部（１）に厚みがある場合は、ネジやターンバックル等（３）の部分等にスペーサー等を組み合わせることで、留め具（２）自体の強度条件を低減することができる。
【００２２】
また、留め具自体にネジやターンバックル等を通す穴が無くとも、「図２」の様に、留め具（２）同士を挟み込む素材（５）や万力の様な外部から挟み込むもので締め付けることも考えられる。
【００２３】
「図３」は、扉等で使われるサムターンを例にした、留め具の設置状態を説明するものである。前述の通り、留め具（２）をネジやターンバックル等（３）で、サムターン（６）のつまみ部を挟み込んで設置し、留め具（２）上に距離センサ（８）を設置する。
【００２４】
「図４」は、窓等で使われる締め金具を例にした、留め具の設置状態を説明するものであるが、前述の「図３」、サムターンを例にした留め具の設置状態と同様の説明であり、留め具（２）自体の形状は問わない。
【００２５】
「図５」は、取っ手部を説明するものである。留め具（２）上にある距離センサ（８）の測定機能に干渉しない場所へ取っ手（９）を設置する。留め具（２）全体を覆ったとしても、距離センサ（８）の測定機能に干渉しなければ良いものとする。
【００２６】
「図６」は、扉等で使われるサムターンを例にした、取っ手部を説明するものであるが、前述の「図５」と同様の説明であり、留め具（２）は取っ手（９）を装着できる機構もしくは突起があれば良いものとする。
【００２７】
「図７」は、窓等で使われる締め金具を例にした、留め具の設置状態を説明するものであるが、「図６」と同様の説明である。
【００２８】
「図８」は、扉等で使われるサムターンを例にした、距離センサの測定方針を説明するものである。距離センサは、施錠状態でのセンサ（８ａ）から扉枠（１３）等の障害物までの距離（１４ａ）と、解錠状態でのセンサ（８ｂ）から扉枠（１３）等の障害物までの距離（１４ｂ）を測定する。
【００２９】
「図９」は、窓等で使われる締め金具を例にした、距離センサの測定方針を説明するものである。測定の方針としては「図８」と同様、施錠・解錠判定距離（１４ａ、１４ｂ）を測定することに変わりがないが、窓等においては、施錠もしくは解錠状態からの障害物（１６）までの距離（１４ｂ）が長く、距離センサの性能によっては距離を測定できない可能性が考えられるが、その場合、他方の施錠もしくは解錠状態からの障害物（１５）までの距離（１４ａ）が測定できる環境であれば良いものとする。
【００３０】
「図１０」は、スライド式の鍵や締め金具を例にした、距離センサの測定方針を説明するものである。測定の方針としては「図８」と同様、施錠・解錠判定距離（１４ａ、１４ｂ）を測定することに変わりがないが、スライド式の場合、スライド施錠位置（１８ａ）及びスライド施錠位置（１８ｂ）から障害物（１６）までの距離が同じである可能性が考えられるが、その場合、スライド施錠位置（１８ａ）及びスライド施錠位置（１８ｂ）いずれかからの障害物（１６）までの間に、人為的に障害物（１７）等を設置することで、施錠・解錠判定距離（１４ａ、１４ｂ）に差を生じさせることができる。
【００３１】
「図１１」は、本発明のつまみ部を有する鍵機能の状態を検知するシステムの全体構成図を説明するものである。距離センサ（Ｓ１１）と連携するセンサ制御装置（Ｓ１２）は、内部ネットワーク（Ｓ１５）に接続し、外部ネットワーク（Ｓ１６）上にあるサーバ等（Ｓ１３）へアクセスできる通信機能を有する。サーバ等（Ｓ１３）は、センサ制御装置（Ｓ１２）及び利用者端末（Ｓ１４）との連携機能と状態データを保持できる機能を有し、利用者端末（Ｓ１４）は、スマートフォン、携帯電話、パーソナルコンピュータ等のサーバ等（Ｓ１３）と連携可能な装置を示す。
【００３２】
「図１２」は、センサ制御装置とサーバ間の処理フローを説明するものである。初期設定（Ａ１１）では、施錠・解錠状態として判断をする距離をもとにした施錠・解錠判断基準及び一定待機時間を決め、設定する。一定間隔でサーバに対し、状態指示確認（Ａ１２）として問い合わせを行い、レスポンス（Ａ１３）を受信する。
【００３３】
サーバ側では施錠・解錠状態を表す状態フラグと状態の確認指示「有無」を表す状態指示フラグを保持しており、状態指示確認を受信（Ａ２１）したサーバは状態指示フラグを参照し、状態の確認指示「有無」をレスポンスデータとしてセンサ制御装置へ返却（Ａ２２）する。
【００３４】
受信したレスポンス（Ａ１３）内データより、状態の確認指示「有無」を判断（Ａ１４）する。状態の確認指示として「有」を受信したセンサ制御装置は、距離センサにて距離を測定（Ａ１５）し、初期設定（Ａ１１）にて設定した施錠・解錠判断基準をもとに、施錠・解錠状態をサーバへ通知（Ａ１６）する。サーバからのレスポンスを受信（Ａ１７）した後、初期設定（Ａ１１）にて設定した時間を待機（Ａ１８）し、「Ａ１２」のサイクルに戻る。状態の確認指示として「無」を受信した場合には、一定時間待機（Ａ１８）後、「Ａ１２」のサイクルに戻る。
【００３５】
施錠・解錠状態を受信したサーバ（Ａ２３）は、施錠・解錠状態を表す状態フラグを更新（Ａ２４）し、状態指示フラグを「無」の状態に更新（Ａ２５）後、処理完了のレスポンス（Ａ２６）を行う。
【００３６】
「図１３」は、利用者−サーバ間の処理フローを説明するものである。利用者は任意のタイミングでサーバへ状態確認（Ｂ１１）を行い、サーバから施錠・解錠状態を示すレスポンスを受信（Ｂ１２）することで、施錠・解錠状態を認識できる。
【００３７】
状態確認（Ｂ２１）を受信したサーバは、施錠・解錠状態を表す状態フラグを参照し、施錠・解錠状態に該当するレスポンス（Ｂ２２）を行う。
【００３８】
利用者は任意のタイミングでサーバへ状態確認指示（Ｂ１３）を行い、サーバから状態確認指示を受信した旨のレスポンスを受信（Ｂ１４）する。
【００３９】
サーバは状態確認指示（Ｂ２３）を受けると、状態指示フラグを「有」の状態に更新（Ｂ２４）後、処理完了のレスポンス（Ｂ２５）を行う。
【符号の説明】
【００４０】
１    鍵や締め金具のつまみ部
２    留め具
３    ネジやターンバックル等
４    滑り止め素材
５    挟み込む素材
６    サムターン
７    窓金具
８    距離センサ
８ａ    距離センサ施錠位置
８ｂ    距離センサ解錠位置
９    取っ手
１０    サムターンのつまみ部
１０ａ    サムターン施錠位置
１０ｂ    サムターン解錠位置
１１ａ    窓金具施錠位置
１１ｂ    窓金具解錠位置
１２    扉
１３    扉枠
１４ａ    施錠判定距離
１４ｂ    解錠判定距離
１５    窓
１６    障害物
１７    人工的障害物
１８    スライド
１８ａ    スライド施錠位置
１８ｂ    スライド解錠位置
Ｓ１１    距離センサ
Ｓ１２    センサ制御装置
Ｓ１３    サーバ
Ｓ１４    利用者端末
Ｓ１５    内部ネットワーク
Ｓ１６    外部ネットワーク
Ａ１    センサ制御装置−サーバ間処理フロー図 センサ制御装置側
Ａ１１    初期設定
Ａ１２    状態指示確認電文発呼
Ａ１３    状態指示確認電文  レスポンス受信
Ａ１４    状態指示有無判定
Ａ１５    センサ確認
Ａ１６    センサ状態発呼
Ａ１７    センサ状態発呼  レスポンス受信
Ａ１７    一定時間待機
Ａ２    センサ制御装置−サーバ間処理フロー図 サーバ側
Ａ２１    状態指示確認電文受信
Ａ２２    状態指示発呼
Ａ２３    センサ状態通知受信
Ａ２４    状態フラグ更新
Ａ２５    状態指示フラグ更新（無）
Ａ２６    状態フラグ更新レスポンス
Ｂ１    利用者−サーバ間処理フロー図 利用者側
Ｂ１１    状態確認電文発呼
Ｂ１２    状態確認電文  レスポンス受信
Ｂ１３    状態指示電文発呼
Ｂ１４    状態指示電文  レスポンス受信
Ｂ２    利用者−サーバ間処理フロー図 サーバ側
Ｂ２１    状態確認電文受信
Ｂ２２    状態通知レスポンス
Ｂ２３    状態指示電文受信
Ｂ２４    状態指示フラグ更新（有）
Ｂ２５    状態指示結果レスポンス  
【図１】
2020084423.tif 000003
【図２】
2020084423.tif 000004
【図３】
2020084423.tif 000005
【図４】
2020084423.tif 000006
【図５】
2020084423.tif 000007
【図６】
2020084423.tif 000008
【図７】
2020084423.tif 000009
【図８】
2020084423.tif 000010
【図９】
2020084423.tif 000011
【図１０】
2020084423.tif 000012
【図１１】
2020084423.tif 000013
【図１２】
2020084423.tif 000014
【図１３】
2020084423.tif 000015